(57)【要約】【課題】画像を表示する画像表示装置から解像度情報を受信して、これに基づいて映像信号を出力する際の解像度を調整する機能を備えた表示出力装置において、確実に最適な解像度を選択する表示出力装置を提供する。【解決手段】映像信号出力部２と、解像度調整部３と、ＯＳＤ合成部４、ＨＤＭＩ送受信部６、制御部７、記憶部８を備える。表示器１０２と通信して、表示器解像度情報１０５を取得し、記憶部８に記憶させる。このとき表示器解像度情報１０５にＨＤＭＩで定められた７２０×４８０の情報が含まれていない場合には、表示器解像度情報１０５にこの解像度を追加して記憶部８に記憶させる。制御部７は、デジタル放送録画装置１が出力できる解像度の情報である装置解像度情報８１と照合して、最適解像度情報８２を算出する。この中から選択した最高の解像度で出力するよう解像度調整部３に指示する。  【選択図】図１
2008085723.tif 000002
【特許請求の範囲】
【請求項１】
画像を表示する画像表示装置に対し、該画像表示装置が出力可能な解像度についての第１の解像度情報を送信するよう要求し、該第１の解像度情報を受信する通信手段と、
映像信号を前記画像表示装置に出力する映像信号出力手段と、
前記映像信号を出力する際の解像度を調整する解像度調整手段と、
を備えた表示出力装置において、
前記画像表示装置および前記表示出力装置は、ＨＤＭＩ規格に準拠するものであり、
前記受信した解像度情報を記憶する記憶手段と、
前記規格で定められた７２０×４８０の解像度が、前記受信した第１の解像度情報に含まれていない場合には、前記７２０×４８０の解像度を追加して前記記憶手段に記憶させ、前記受信した第１の解像度情報に前記７２０×４８０の解像度が含まれている場合には、該解像度を前記第１の解像度情報に追加しない解像度情報修正手段と、
前記解像度情報修正手段により処理された前記第１の解像度情報と、表示出力装置本体が出力可能な第２の解像度情報と、を照合して、これらの解像度情報が合致したものの中から最も高い解像度に調整するよう前記解像度調整手段に指示する解像度指示手段と、を備えた表示出力装置。
【請求項２】
画像を表示する画像表示装置に対し、該画像表示装置が出力可能な解像度についての第１の解像度情報を送信するよう要求し、該第１の解像度情報を受信する通信手段と、
映像信号を前記画像表示装置に出力する映像信号出力手段と、
前記映像信号を出力する際の解像度を調整する解像度調整手段と、
を備えた表示出力装置において、
前記画像表示装置および前記表示出力装置は、予め定められた１以上の所定の解像度で映像信号を送受信する規格に準拠するものであり、
前記第１の解像度情報を記憶する記憶手段と、
前記規格で定めた所定の解像度が、前記受信した第１の解像度情報に含まれていない場合には、前記第１の解像度情報に前記規格で定めた所定の解像度を追加して前記記憶手段に記憶させ、前記所定の解像度が、前記受信した第１の解像度情報に含まれている場合には、該解像度を前記第１の解像度情報に追加しない解像度情報修正手段と、
前記解像度情報修正手段により処理された前記第１の解像度情報に基づいて最適な解像度を選択し、この解像度に調整するよう前記解像度調整手段に指示する解像度指示手段と、を備えた表示出力装置。
【請求項３】
前記解像度指示手段は、前記解像度情報修正手段で処理した前記第１の解像度情報と、表示出力装置本体が出力可能な第２の解像度情報と、を照合して、これらの解像度情報が合致したものの中から最も高い解像度を前記最適な解像度として選択する請求項２に記載の表示出力装置。
【発明の詳細な説明】
【技術分野】
【０００１】
本発明は、画像を表示する画像表示装置から解像度情報を受信して、これに基づいて映像信号を出力する際の解像度を調整する機能を備えた表示出力装置に関する。
【背景技術】
【０００２】
画像表示装置から解像度情報を受信して、これに基づいて出力する解像度を調整する機能を備えた表示出力装置が開示されている（特許文献１〜４等）。特許文献１には、画像表示装置と表示出力装置で接続可能な映像フォーマットをユーザが覚えなくても良いように、ＨＤＭＩ規格に従った装置を用いて、これらの装置で共通する映像フォーマットを選択可能にした構成が開示されている。ここで、ＨＤＭＩ（High-Definition Multimedia Interface）規格は、2002年12月に策定された、主に家電やAV機器向けのデジタル映像・音声入出力インターフェース規格である。これによれば、1本のケーブルで映像・音声・制御信号を合わせて送受信することができる。そして、このＨＤＭＩ規格に遵守する装置であれば、７２０×４８０の解像度で映像信号を送信できると共に、この解像度で表示することができる。
【０００３】
特許文献２には、ＰＣとマルチモニタ環境を実現する上で、最適なリフレッシュレートで映像を出力するため画像表示装置と相互に装置情報を受け渡す構成が開示されている。また、特許文献３には、下流側の表示装置からＥＤＩＤ（extended display identification data）情報を取得し、上流側の装置の表示解像度情報を書き換える旨の記載がある。
【０００４】
さらに、特許文献４には、複数フォーマットで放送されるデジタル放送を受信してテレビへ映像信号を出力するデジタル機器について、テレビがマルチフォーマットに対応しているかどうかを自動的に判断する送信機を提供するため、受像機の偏向周波数に基づいて前記映像信号選択手段を制御する構成、例えばＴＳ（トランスポートストリーム）から放送フォーマットの判定をして（段落１８）、テレビから偏向周波数を判別した値を基にコンバートするか否かのスイッチを切り換える旨（段落２０等）が開示されている。
【特許文献１】特開２００５−１６７８９５公報
【特許文献２】特開２００４−１０２０２７公報
【特許文献３】特開２００４−１０２０６３公報
【特許文献４】特開２００１−１１１９１４公報
【発明の開示】
【発明が解決しようとする課題】
【０００５】
しかしながら、ＨＤＭＩ規格に遵守する画像表示装置であれば、７２０×４８０の解像度で映像信号を受信でき、表示できるはずであるにも関わらず、映像信号を出力する表示出力装置から、画像表示装置へ解像度情報を送信するよう要求した場合に、この解像度の情報を送信しない場合があった。そうすると、画像表示装置から受信した解像度情報によれば、表示出力装置は７２０×４８０の解像度で出力できないと判断することになり、ユーザに不便を強いることになる問題があった。さらに、表示出力装置が７２０×４８０の解像度しか出力できないような場合には、ＨＤＭＩケーブルを使えず、アナログピンケーブルでしか接続できないことになり、クレーム、返品の対象となる問題があった。
【０００６】
また、引用文献１には、最適な解像度の選択をユーザにさせる旨の記載があるが、ユーザにとってはこの選択すら煩雑である問題があった。また、この選択する際に、規格上あるはずの７２０×４８０の解像度が表示されず、選択できない恐れがあった。
【０００７】
そこで、本発明は、画像を表示する画像表示装置から解像度情報を受信して、これに基づいて映像信号を出力する際の解像度を調整する機能を備えた表示出力装置において、確実に最適な解像度を選択する装置を提供することを目的とする。
【課題を解決するための手段】
【０００８】
本発明は、以下の構成を備えている。
【０００９】
（１）本発明は、
画像を表示する画像表示装置に対し、該画像表示装置が出力可能な解像度についての第１の解像度情報を送信するよう要求し、該第１の解像度情報を受信する通信手段と、
映像信号を前記画像表示装置に出力する映像信号出力手段と、
前記映像信号を出力する際の解像度を調整する解像度調整手段と、
を備えた表示出力装置において、
前記画像表示装置および前記表示出力装置は、予め定められた１以上の所定の解像度で映像信号を送受信する規格に準拠するものであり、
前記第１の解像度情報を記憶する記憶手段と、
前記規格で定めた所定の解像度が、前記受信した第１の解像度情報に含まれていない場合には、前記第１の解像度情報に前記規格で定めた所定の解像度を追加して前記記憶手段に記憶させ、前記所定の解像度が、前記受信した第１の解像度情報に含まれている場合には、該解像度を前記第１の解像度情報に追加しない解像度情報修正手段と、
前記解像度情報修正手段により処理された前記第１の解像度情報に基づいて最適な解像度を選択し、この解像度に調整するよう前記解像度調整手段に指示する解像度指示手段と、を備えた。
【００１０】
この構成では、前記規格で定めた所定の解像度が表示出力装置から受信した解像度情報に含まれていない場合には、前記第１の解像度情報に前記規格で定めた所定の解像度を追加するので、表示出力装置が最適な解像度を選択する時に、この所定の解像度が欠落するおそれがない。したがって、表示出力装置がこの所定の解像度で出力できないと誤認することがないから、この点でユーザに不便を強いる問題を解消できる。さらに、表示出力装置が前記所定の解像度しか出力できないような場合でも、この所定の解像度で、確実にＨＤＭＩ端子から映像信号を画像表示装置へ送信できる。したがって、ＨＤＭＩ端子が使えないとして、クレーム、返品の対象となる問題を解消できる。
【００１１】
（２）この発明は、
前記解像度指示手段は、前記解像度情報修正手段で処理した前記第１の解像度情報と、表示出力装置本体が出力可能な第２の解像度情報と、を照合して、これらの解像度情報が合致したものの中から最も高い解像度を前記最適な解像度として選択することを特徴とする。
【００１２】
この構成では、表示出力装置が、前記合致したものの中から、最も高い解像度を前記最適な解像度として選択するので、ユーザは、最適な解像度の選択を意識する必要がない。
【００１３】
（３）なお、前記規格として、例えば、ＨＤＭＩ（High-DefinitionMultimedia Interface）規格として、前記所定の解像度をこの規格に定められた７２０×４８０とすることができる。
【発明の効果】
【００１４】
規格（例えばＨＤＭＩ規格）で定めた所定の解像度（例えば７２０×４８０）が表示出力装置から受信した解像度情報に含まれていない場合でも、前記第１の解像度情報に前記規格で定めた所定の解像度を追加するので、表示出力装置が、最適な解像度の選択時に、この解像度の選択の候補から欠落してしまうおそれがない。したがって、この所定の解像度で出力できないと誤認することがないから、この点でユーザに不便を強いる問題を解消できる。さらに、表示出力装置が前記所定の解像度しか出力できないような場合でも、この所定の解像度で、確実にＨＤＭＩ端子から映像信号を画像表示装置へ送信でき、クレーム、返品の対象となる問題を解消できる。
【発明を実施するための最良の形態】
【００１５】
図１を用いて、本発明の実施形態のデジタル放送録画装置（図中１で図示）の構成について説明する。デジタル放送録画装置１は、デジタル放送を受信して、受信した番組を録画する録画装置であり、ＨＤＭＩ送受信部６を介して表示器１０２に映像信号を出力する装置である。
【００１６】
デジタル放送録画装置１は、映像信号を出力する映像信号出力部２と、制御部７の指示を受けて、映像信号出力部２の出力を所定の解像度に調整する解像度調整部３と、装置１本体の各種状態や設定の表示と映像信号出力部２から出力される映像信号と合成した映像信号を出力するＯＳＤ（オンスクリーンディスプレイ）合成部４と、ＨＤＭＩ規格に準拠して外部機器の表示器１０２と送受信するＨＤＭＩ送受信部６と、これらの各部を制御する制御部７と、制御部７の制御情報を記憶する記憶部８と、制御部７への制御信号を入力する操作部９とを備える。またデジタル放送録画装置１の外部に、Ｄ／Ａ変換器６の映像信号を表示する表示器１０２を備える。
【００１７】
映像信号出力部２は、アンテナ１０１から電波を受信して、ＴＳ（トランスポートストリーム）を得るチューナ部２１と、ＴＳ（トランスポートストリーム）から制御部７が指定した所定の仮想チャンネルの映像信号を得るＴＶデコーダ２２と、制御部７の録画予約機能７１の制御に応じて映像信号を記録する録画部２３と、ＴＶデコーダ２２で生成した映像信号の出力、録画部３で記録した映像信号の出力を切り換え、選択して出力するセレクタ２４を備える。
【００１８】
チューナ部２１は、チューナ、復調回路、誤り訂正回路、分離回路、デマルチプレクサ、バッファメモリを備えている。チューナは、制御部７により指定されたチャンネルの放送信号を抽出し、復調回路に出力する。復調回路は、入力された放送信号を復調し、誤り訂正回路に出力する。誤り訂正回路は入力されたＴＳ（トランスポートストリーム）の誤り情報を訂正する。分離回路は、誤り訂正回路から出力された信号からＴＳを分離して、出力する。
【００１９】
ＴＶデコーダ２２は、デマルチプレクサと、デコーダを備えている。ＴＳには複数の仮想チャンネルの番組が多重化されて送信されていると共に、仮想チャンネル番号の情報が含まれている。デマルチプレクサは、これらの仮想チャンネルのうちの１チャンネルのパケットを抽出して制御部７に出力する。制御部２からの指示又は許可を受けてから、チューナ２１内のバッファメモリが記憶するデータを適宜読み出す。そして、読み出したデータから映像データと音声データとを分離し、両データを伸長し、出力する。ＴＶデコーダ２２は、映像データを、セレクタ２４と録画部３に入力し、音声データをセレクタ２４と録画部３に入力する。
【００２０】
録画部２３は、エンコーダ２３１と、記録部２３２と、デコーダ２３３と、図示しないタイマとを備え、制御部７の図示しない録画予約機能の制御により、ＴＶデコーダ２２の映像信号と音声信号を記録する。エンコーダ２３１は、ＴＶデコーダ２２から出力した映像信号、音声信号を例えばＭＰＥＧ形式にエンコードする。記録部３２は、記録媒体（着脱可能なもののみならず据付のものを含む）と記録媒体への記録／読み出しを行う記録／読み出し部で構成し、エンコーダ２３１でエンコードされた映像信号、音声信号を記録する。記録媒体は、ＣＤ、ＤＶＤ、ハードディスク、ビデオテープ等であり、映像信号を記録できるものであれば、何でも良い。ただし、アナログの映像信号を記録部２３２から再生して出力する場合には、デコーダ２３３の代わりにＡＤ変換器を設ける。記録部２３２の記憶媒体を読み出す記録／読み出し部は、例えば、記録媒体がＤＶＤであれば、光学ピックアップである。デコーダ２３３は、記録部２３２で読み出した映像信号をデコードする。
【００２１】
セレクタ２４は、２つの信号を同時に切り換える機能を備え、ＴＶデコーダ２２、デコーダ２３３の映像信号、音声信号を選択する。録画部３が動画ファイルを再生している時には、デコーダ３３の映像信号、音声信号の入力が選択され、そうでない場合には、ＴＶデコーダ２２の映像信号、音声信号の入力が選択される。セレクタ２４は映像出力を解像度調整部３に出力し、音声信号をＨＤＭＩ送受信部６に出力する。
【００２２】
解像度調整部３は、制御部７の指示を受けた場合に、公知の方法により表示器１０２へ出力する映像信号の解像度を調整し、フォーマットを変更する。映像信号出力部２の出力より、制御部７で指示された出力の方が解像度が高い場合には、補間して滑らかにする。映像信号出力部２の出力より、制御部７で指示された出力の方が解像度が低い場合には、画像を圧縮する。
【００２３】
ＯＳＤ合成部４は、デジタル放送録画装置１の各種設定を表示し、ユーザにこれらの設定を選択させるための文字図形の映像信号を出力する。ＯＳＤ合成部４は、ＯＳＤ画像メモリを備えており、制御部７から与えられる制御信号に基づいて、このＯＳＤ画像メモリが記憶している文字又は図形の映像信号を生成し、出力する。セレクタ２４から映像信号が出力されている場合にはこの映像信号を合成する。
【００２４】
ＨＤＭＩ送受信部６は、ＨＤＭＩケーブル６０を介して、ＯＳＤ合成部４から出力した映像信号と、セレクタ２４の出力である音声信号を表示器１０２のＨＤＭＩ送受信部１０４に出力する。また、ＨＤＭＩ送受信部６は、表示器１０２と通信して、表示器１０２の制御部１０３から、表示器１０２が表示可能な解像度の情報の一覧である表示器解像度情報１０５を取得し、記憶部８に出力する。この取得方法は、制御部７がＨＤＭＩ送受信部６を介して、表示器１０２の制御部１０３に情報送信の要求を出して、これに応じて、表示器１０２の制御部１０３がＨＤＭＩ送受信部１０４を介して、第１の解像度情報８１を送信することにより行う。
【００２５】
制御部７は、ＣＰＵで構成し、デジタル放送録画装置１内の各部を制御する。例えば、チューナ２１内のバッファＲＡＭへの記録、読み出しタイミングや、セレクタ２４の切替、記録部３２への記録タイミング、表示器１０２へ出力する解像度などを制御する。例えば、制御部７は、ＨＤＭＩ送受信部６を介して表示器１０２と通信し、表示器解像度情報１０５を記憶部８に記憶するよう指示する。また、表示器解像度情報１０５および装置解像度情報８１に基づいて、表示器１０２に出力する映像信号の最適な解像度の候補の情報である最適解像度情報８２を決定する。
【００２６】
記憶部８は、ＲＯＭと、制御部７内のサブプログラム、制御情報を格納するＲＯＭ、制御部７の計算結果を一時的に記憶するＲＡＭを備えている。ＲＯＭ内には、デジタル放送録画装置１が出力できる映像信号の解像度の一覧を表した装置解像度情報８１を記憶している。ＲＡＭには、表示器１０２と通信して記憶した表示器解像度情報１０５と、制御部７が決定した最適解像度情報８２を記憶している。
【００２７】
操作部９は、デジタル放送録画装置１に取り付けた操作子や、リモコンおよびリモコンからの赤外信号を受け付けるリモコン受光部で構成する。操作部９は、制御部７を操作するための制御入力を受け付ける。デジタル放送録画装置１またはリモコンの操作子が押下げられると、所定の制御入力が入力される。
【００２８】
表示器１０２は、デジタル放送録画装置１から出力された映像信号、音声信号を入力して、映像と、音声を出力するものであり、制御部１０３とＨＤＭＩ送受信部１０４と、図示しない液晶パネルを備えている。制御部１０３は、制御情報を格納するＲＯＭ、ＲＡＭを備え、表示器１０２の各部を制御する。このＲＯＭは、表示器１０２が表示可能な解像度の一覧を表した表示器解像度情報１０５を記憶している。
ＨＤＭＩ送受信部１０４は、デジタル放送録画装置１とデータを送受信するためのインターフェースであり、映像信号等を受信するのみならず、表示器１０２の表示器解像度情報１０５を送信できる。ＨＤＭＩ送受信部６から、表示器解像度情報１０５の送信が要求された場合には、ＨＤＭＩ送受信部１０４は、この要求を制御部１０３に伝達し、制御部１０３は、表示器解像度情報１０５を、ＨＤＭＩ送受信部１０４を介してデジタル放送録画装置１に送信する。
【００２９】
なお、映像信号出力部２としては、図１に示したものに限らず、映像信号を出力するものであれば、何でも良い。図２で示した映像信号出力部２の一部の出力を出力するものや、アナログの映像信号、例えばテレビ受像機のチューナの出力をデジタルに変換して出力するものや、パソコンの出力でも良い。
また、セレクタ２４を映像信号、音声信号の２つに分離して構成しても良い。
表示器２は、本発明の画像表示装置に相当する。
【００３０】
次に図２のフロー図を用いて、デジタル放送録画装置１の最適解像度を設定する処理について説明する。この処理の主体は制御部７であり、ＨＤＭＩ送受信部６を介して表示器１０２と通信し、最適解像度の設定を解像度調整部３に対して指示することによりこの処理を行う。
ＳＴ１で、ＨＤＭＩ送受信部６を介して、表示器１０２に対し、表示器解像度情報１０５をデジタル放送録画装置１に送信するよう要求する。
ＳＴ２で、デジタル放送録画装置１の要求に応じて、表示器１０２が表示器解像度情報１０５を送信した場合、これを受信する。
ＳＴ３で、記憶部８のＲＡＭに表示器解像度情報１０５を記憶させる。
【００３１】
ＳＴ４で、表示器解像度情報１０５が不正かどうか判断する。ここで表示器解像度情報１０５が不正とは、ＨＤＭＩ規格に７２０×４８０の解像度情報が表示器１０２から送信されない場合をいうものとする。即ち、ＨＤＭＩ規格に準拠する装置であれば、７２０×４８０の解像度で映像信号を送信、または受信して表示することができるはずであるが、受信側の表示器１０２がこの解像度の情報を送信しない場合をいう。仮に、このような欠落した情報に基づいて制御部７が最適解像度情報８２を決定すると、デジタル放送録画装置１がこの解像度で出力できないことになるので、この表示器解像度情報１０５の不正を判断する。
【００３２】
制御部７が表示器解像度情報１０５が不正と判断した場合には（ＳＴ４のＹＥＳ）、ＳＴ５で、記憶部８が記憶している表示器解像度情報１０５に７２０×４８０を追加する。表示器解像度情報１０５が不正でない、即ち、表示器解像度情報１０５に７２０×４８０が含まれると判断した場合には（ＳＴ４のＮＯ）、このような追加を行なわず、ＳＴ６に移動する。
【００３３】
ＳＴ６で、記憶部８のＲＡＭ内の表示器解像度情報１０５（ＳＴ５で追加した場合には、この追加したもの）を、記憶部８のＲＯＭ内の装置解像度情報８１と照合し、合致しているものを選択し、最適解像度情報８２としてＲＡＭに記憶させる。
【００３４】
ＳＴ７で、ＳＴ６で記憶した最適解像度情報８２から最高の解像度を選択し、解像度調整部３にこの解像度を指示する。これによれば、ユーザがデジタル放送録画装置１、表示器１０２の解像度を意識せずとも、接続するだけで最適な解像度に設定できる。
【００３５】
次に、図２のフロー図と異なる実施例について説明する。この実施例では、最後のＳＴ７の処理のみをＳＴ１７にしたものである。その他は、同じ処理なので以上の説明を準用する。ＳＴ１７では、ＳＴ６で候補を選択した最適解像度情報８２をＯＳＤ表示して、この中から選択を受け付ける。例えば、リモコンのカーソルキーでこれらの候補のハイライト表示を移動させ、ハイライト表示した候補について、所定の決定ボタンで選択を受け付ける。この場合に、ハイライト表示の初期位置を、最適解像度情報８２の中で最高の解像度のものにしてもよい。そうすれば、ユーザは決定ボタン１つで最高の解像度を選択できる。
【００３６】
なお、表示器解像度情報１０５は、本発明の第１の解像度情報に相当し、装置解像度情報８１は、本発明の第２の解像度情報に相当する。
図２のフローでは、最適解像度情報８２から最高の解像度を選択するときに、ユーザに確認する必要がない。したがって、この最高の解像度を選択するためにＯＳＤ表示する必要がなく、ＯＳＤ合成部４を必ずしも備える必要はない。一方、図３の実施例では、ユーザに選択させこの選択を受け付ける必要があるから、ＯＳＤ表示する必要がある。
【００３７】
また、ＨＤＭＩ規格に限らず、表示器解像度情報１０５が送信できる場合であって、規格に所定の解像度で送受信することが定められている場合には、本実施形態の図２、図３の処理を適用できる。
【図面の簡単な説明】
【００３８】
【図１】第１実施形態のデジタル放送受信録画装置の構成図
【図２】最適解像度を設定する処理のフロー図
【図３】図２と異なる実施例のフロー図
【符号の説明】
【００３９】
１−デジタル放送録画装置
２−映像信号出力部、  ２１−チューナ、  ２２−ＴＶデコーダ
２３−録画部、  ２３１−エンコーダ、  ２３２−記録部、  ２３３−デコーダ
２４−セレクタ、  ３−解像度調整部、  ４−ＯＳＤ合成部
６−ＨＤＭＩ送受信部、  ６０−ＨＤＭＩケーブル、  ７−制御部
８−記憶部、  ８１−装置解像度情報、  ８２−最適解像度情報、  ９−操作部
１０１−アンテナ、  １０２−表示器、  １０３−制御部、  １０４−ＨＤＭＩ送受信部
１０５−表示器解像度情報
【図１】
2008085723.tif 000003
【図２】
2008085723.tif 000004
【図３】
2008085723.tif 000005